(57)【要約】【課題】使用済み容器を破砕することにより嵩を小さくできて、運搬や廃棄処理のための費用を極力安くできるアンプル瓶等使用済み容器破砕装置を提供する。【解決手段】アンプル瓶、管瓶、シリンジ等の使用済み容器８を破砕する破砕装置であり、使用済み容器投入用ホッパー１の下部出口３に面して使用済み容器受入部４を設け、この受入部４の下部に櫛刃状の固定破砕部５を設けると共に、固定破砕部５の上部に重合して使用済み容器受入部４に対し進退する櫛刃状の可動破砕部６を設け、可動破砕部６を可動破砕部往復駆動手段７で使用済み容器受入部４に対し進退駆動することにより、ホッパー１の下部出口３より使用済み容器受入部４に受け入れられる使用済み容器８を可動破砕部６と固定破砕部５で破砕し、破砕片８ａを固定破砕部５から下方へ排出する。【選択図】図１
0003130465.tif 000002
【実用新案登録請求の範囲】
【請求項１】
アンプル瓶、管瓶等の使用済み容器を破砕するための破砕装置であって、
使用済み容器投入用ホッパーの下部出口に面してその出口幅と略同じ幅の使用済み容器受入部を設け、この受入部の下部に櫛刃状の固定破砕部を設けると共に、固定破砕部の上部に重合して使用済み容器受入部に対し進退する櫛刃状の可動破砕部を設け、この可動破砕部を可動破砕部往復駆動手段で使用済み容器受入部に対し進退駆動することによって、前記ホッパーの下部出口より使用済み容器受入部に受け入れられる使用済み容器を可動破砕部と固定破砕部とで破砕して、その破砕片を固定破砕部から下方へ排出するようにしたアンプル瓶等使用済み容器破砕装置。
【請求項２】
可動破砕部往復駆動手段は、可動破砕部の櫛刃部を使用済み容器受入部から後退させる方向に可動破砕部を引っ張りバネによって引張すると共に、モーターによって回転するカムに可動破砕部を押圧させてその櫛刃部を使用済み容器受入部に進入させた後、引っ張りコイルバネの付勢力によって可動破砕部の櫛刃部を使用済み容器受入部から後退させ、これを繰り返すようにしてなる請求項１に記載のアンプル瓶等使用済み容器破砕装置。
【考案の詳細な説明】
【技術分野】
【０００１】
本考案は、医薬品充填容器等として使用されるガラス製のアンプル瓶、ネジ蓋付き管瓶あるいはシリンジ等の使用済み容器を破砕処理するための破砕装置に関する。
【背景技術】
【０００２】
従来、上記のようなアンプル瓶、管瓶、シリンジ等の使用済み容器は、そのままの状態で廃棄されていることから、容器の数が増えるに従って嵩張りが大きくなって、その運搬や廃棄処理のための費用が高くついていた。
【考案の開示】
【考案が解決しようとする課題】
【０００３】
本考案は、上記のような課題に鑑みてなされたもので、使用済み容器を破砕することにより嵩を小さくすることができて、運搬や廃棄処理のための費用を極力安くできるようにしたアンプル瓶等使用済み容器破砕装置を提供することを目的とする。
【課題を解決するための手段】
【０００４】
上記課題を解決するための手段を、後述する実施形態の参照番号を付して説明すると、請求項１に係る考案は、アンプル瓶、管瓶等の使用済み容器８を破砕するための破砕装置であって、
使用済み容器投入用ホッパー１の下部出口３に面してその出口幅と略同じ幅Ｗの使用済み容器受入部４を設け、この受入部４の下部に櫛刃状の固定破砕部５を設けると共に、固定破砕部５の上部に重合して使用済み容器受入部４に対し進退する櫛刃状の可動破砕部６を設け、この可動破砕部６を可動破砕部往復駆動手段７で使用済み容器受入部４に対し進退駆動することによって、前記ホッパー１の下部出口３から使用済み容器受入部４に受け入れられる使用済み容器８を可動破砕部６と固定破砕部５とで破砕して、その破砕片８ａを固定破砕部５から下方へ排出するようにしたことを特徴とする。
【０００５】
請求項２に係る考案は、請求項１に記載のアンプル瓶等使用済み容器破砕装置において、可動破砕部往復駆動手段７は、可動破砕部６の櫛刃部６ａを使用済み容器受入部４から後退させる方向に可動破砕部６を引っ張りバネ１２によって引張すると共に、モーター１３によって回転するカム１５に可動破砕部６を押圧させてその櫛刃部６ａを使用済み容器受入部４に進入させた後、引っ張りコイルバネ１２の付勢力によって可動破砕部６の櫛刃部６ａを使用済み容器受入部４から後退させ、これを繰り返すようにしてなることを特徴とする。
【考案の効果】
【０００６】
上記解決手段による考案の効果を、後述する実施形態の参照番号を付して説明すると、請求項１に係る考案の破砕装置によれば、ホッパー１に使用済み容器８を投入することにより、その使用済み容器８は、ホッパー１の下部出口３より漸次使用済み容器受入部４に受け入れられ、しかして受入部４に夫々任意の向きで受け入れられた使用済み容器８は、可動破砕部６の櫛刃部６ａが固定破砕部５上に重合して後退位置から受入部４に進入する時に可動破砕部６の櫛刃部６ａと固定破砕部５の櫛刃部５ａとの共同作用で破砕されて、その破砕片８ａが固定破砕部５の櫛刃部５ａの隙間から下方へ排出され、こうして破砕された使用済み容器８の１個分の破砕片８ａの体積は、破砕されていないそのままのアンプル瓶８の１個の見掛け体積の何十分の一と、非常に小さくなるから、運搬や廃棄処理のための費用を著しく安くできる効果がある。
【０００７】
請求項２に係る考案のような可動破砕部往復駆動手段７を採用すれば、構造が簡単で部品点数が少ないから、可動破砕部往復駆動手段がコンパクトになると共に、その製作が容易となって、装置コストの低廉化を図ることができる。
【考案を実施するための最良の形態】
【０００８】
以下に本考案の好適な実施形態について図面を参照して説明すると、先ず図１の(a) は本考案に係るアンプル瓶等使用済み容器破砕装置の一部縦断面正面図であり、(b) はアンプル瓶を示す斜視図であり、そして図２は図１の(a) のＸ−Ｘ線断面図である。
【０００９】
図１の(a) 及び図２において、１は使用済み容器投入用ホッパーで、このホッパー１は装置基台２の一端部上方に設けられている。このホッパー１の下部出口３に面してその出口幅と略同じ幅Ｗの使用済み容器受入部４が設けられ、この使用済み容器受入部４の下部に櫛刃状の固定破砕部５を設けられ、この固定破砕部５の上部に重合して使用済み容器受入部４に対し進退する櫛刃状の可動破砕部６が設けられていて、この可動破砕部６を、装置基台２上に設置されている可動破砕部往復駆動手段７により使用済み容器受入部４に対し進退駆動することによって、ホッパー１の下部出口３より使用済み容器受入部４に受け入れられる使用済み容器８を、可動破砕部６と固定破砕部５とにより破砕して、その破砕片８ａを固定破砕部５の櫛刃部５ａの隙間から下方へ排出するようにしたものである。
【００１０】
上記破砕装置の構造について更に詳しく説明すれば、装置基台２の先端部には、上板部９ａと両側枠９ｂ，９ｂとからなる台枠９が固定され、この台枠９の先端側にホッパー固定枠１０がボルト１１によって取り付けられ、このホッパー固定枠１０に使用済み容器投入用ホッパー１の底板部１ａが固定され、この底板部１ａに隣接するようにホッパー１の下部出口３が形成され、そしてホッパー固定枠１０と台枠９との間には、ホッパー１の下部出口３に面して下部出口３の出口幅と略同じ幅Ｗの使用済み容器受入部４が形成されている。台枠９の上板部９ａはホッパー１の下部出口３に面する部分が開口されている。
【００１１】
固定破砕部５は、板状本体５ｏの前部側に櫛刃部５ａを形成したもので、板状本体５ｏの後部側が装置基台２に固定されて、櫛刃部５ａが使用済み容器受入部４の下部側に突入配置されている。可動破砕部６も、固定破砕部５と同じ様に板状本体６ｏの前部側に櫛刃部６ａを形成したものであるが、この可動破砕部６は、装置基台２の上板部９ａとその両側枠９ｂ，９ｂと固定破砕部５の板状本体５ｏの間にスライド自在に配置されたもので、櫛刃部６ａが可動破砕部往復駆動手段７によって使用済み容器受入部４に対し進退駆動され、しかして可動破砕部６の櫛刃部６ａは、使用済み容器受入部４に進入した時に固定破砕部５の櫛刃部５ａと平面的に重なり合うようになっている。
【００１２】
可動破砕部往復駆動手段７は、可動破砕部６の板状本体６ｏ後端部と装置基台２の後端部に取り付けた取付部材１１との間に２本の引っ張りコイルバネ１２，１２を介装して、可動破砕部６の櫛刃部６ａが使用済み容器受入部４から後退する方向に可動破砕部６を引張すると共に、モーター１３によって回転する回転軸１４に固定した長円形状のカム１５の周面に可動破砕部６の板状本体６ｏの後端部を押圧させてなるもので、回転軸１４の回転によるカム１５の回転により、可動破砕部６をその後方から押動して櫛刃部６ａを使用済み容器受入部４に進入させた後、引っ張りコイルバネ１２の付勢力により可動破砕部６を後方へ引張して櫛刃部６ａを使用済み容器受入部４から後退させ、これを繰り返し行わせることによって可動破砕部６を使用済み容器受入部４に対し進退駆動させるようにしたものである。図２において１６は回転軸１４を支持する軸受である。
【００１３】
上記のように構成される使用済み容器破砕装置の使用にあたって、モーター１３を起動すると、回転軸１４が回転してカム１５が図１の矢印方向に回転し、このカム１５の回転作用とコイルバネ１２の引張作用によって可動破砕部６の櫛刃部６ａが使用済み容器受入部４に対する進入動作と後退動作を繰り返し行う。
【００１４】
従って、使用済み容器投入用ホッパー１に使用済み容器８としてのアンプル瓶を多数投入すると、そのアンプル瓶８は、図１の(a) に示すようにホッパー１の下部出口３より漸次使用済み容器受入部４に受け入れられ、しかして受入部４に受け入れられたアンプル瓶８は、可動破砕部６の櫛刃部６ａが後退位置から受入部４に進入する時にこの櫛刃部６ａと固定破砕部５の櫛刃部５ａとの共同作用により細かく破砕されて、その破砕片８ａが固定破砕部５の櫛刃部５ａの隙間から下方へ排出される。この際、アンプル瓶８は、ホッパー１内に不正列状態に投入されるため、使用済み容器受入部４に受け入れられるアンプル瓶８は、その向きがバラバラで、固定破砕部５の櫛刃部５ａ上に水平に位置するものもあれば、細長い口部分が固定破砕部５の櫛刃部５ａ，５ａ間に突入したものもあるが、何れの場合も、受入部４に受け入れられたアンプル瓶８は全て、可動破砕部６と固定破砕部５とによって細かく破砕される。
【００１５】
上記のようにして破砕されたアンプル瓶８の１個分の破砕片８ａの体積は、破砕されないままの状態のアンプル瓶８の１個の見掛け体積の約１／７０程度と非常に小さくなる。従って、同じサイズの使用済みアンプル瓶８の例えば７０個を、この破砕装置によって破砕したとすれば、その破砕片８ａの量は、アンプル瓶１個分の見掛け体積と同じ程度となるわけであり、運搬や廃棄処理のための費用を著しく安くできることになる。
【００１６】
また、この実施形態では、可動破砕部往復駆動手段として、可動破砕部６を引っ張りバネ１２によって使用済み容器受入部４から後退させる方向に常時引張した状態で、モーター１３によって回転するカム１５の周面に可動破砕部６を押圧させることにより、可動破砕部６を使用済み容器受入部４に対し進退駆動させるようにしたものを採用したが、この実施形態の可動破砕部往復駆動手段７に限るものではなく、可動破砕部６を、例えばスライダ・クランク機構によって往復駆動させるようにしたものでもよい。しかし、実施形態のような可動破砕部往復駆動手段７を採用すれば、構造が簡単で部品点数が少ないから、可動破砕部往復駆動手段がコンパクトになると共に、その製作が容易となって、小型且つ軽量で低コストの使用済み容器破砕装置を提供することができる。
【００１７】
以上の実施形態では、使用済み容器８としてアンプル瓶を使用したが、この考案の使用済み容器破砕装置によれば、アンプル瓶の他に、ガラス製の管瓶やシリンジ等も、上記したアンプル瓶同様に破砕処理することができる。
【図面の簡単な説明】
【００１８】
【図１】(a) は本考案に係る使用済み容器破砕装置の一部縦断面正面図、(b) は使用済み容器としてのアンプル瓶を示す斜視図である。
【図２】図１のＸ−Ｘ線断面図である。
【符号の説明】
【００１９】
１              使用済み容器投入用ホッパー
３              ホッパーの下部出口
４              使用済み容器受入部
５              固定破砕部
５ａ            櫛刃部
６              可動破砕部
６ａ            櫛刃部
７              可動破砕部往復駆動手段
８              アンプル瓶（使用済み容器）
８ａ            破砕片
１２            引っ張りバネ
１３            モーター
１５            カム
【図１】
0003130465.tif 000003
【図２】
0003130465.tif 000004